(57)【要約】【課題】カード収納部からスムーズにカードを引き出すことが可能で、長期使用に耐える構造のカードケース、および、このカードケースを備えた財布を提供する。【解決手段】カードケース１００は、基台部材１に設けたポケット形成部材１０〜５０によって形成されたカード収納部を有している。ポケット形成部材１０〜５０は、それぞれ１対の直角台形状のポケット形成片１１、１２等からなり、１対のポケット形成片は、長い方の底辺同士を重ねた状態で、底辺に対して直角となる第１の脚以外の第２の脚同士が交差するように基台部材１上に配設されている。そして、各ポケット形成片は、長い方の底辺と第１の脚のそれぞれの近傍部分で、基台部材１に対して固着されている。【選択図】図１
2017006349.tif 000002
【特許請求の範囲】
【請求項１】
基台部材に設けたポケット形成部材によってカード収納部を形成したカードケースであって、
前記ポケット形成部材は、１対の直角台形状のポケット形成片からなり、１対の前記ポケット形成片は、長い方の底辺同士を重ねた状態で、前記底辺に対して直角となる第１の脚以外の第２の脚同士が交差するように配設され、前記長い方の底辺と前記第１の脚のそれぞれの近傍部分で、前記基台部材に対して固着されることによって前記カード収納部が形成されていることを特徴とするカードケース。
【請求項２】
前記ポケット形成片の底辺間の長さが、前記カード収納部に収納されるカードの短手方向の長さよりも長いことを特徴とする請求項１に記載のカードケース。
【請求項３】
前記基台部材に対して、複数の前記ポケット形成部材がカード挿入方向にずらして重なるように配置されることによって複数の前記カード収納部が形成されていることを特徴とする請求項１または２に記載のカードケース。
【請求項４】
前記カード収納部にカードが収納された際に、該カードが収納された前記カード収納部の後側の一対の前記ポケット形成片の第２の脚の交差部分が前記カードの上辺よりも低い位置にあることを特徴とする請求項３に記載のカードケース。
【請求項５】
請求項１〜４のいずれか１に記載のカードケースを備えた財布。
【発明の詳細な説明】
【技術分野】
【０００１】
この発明は、クレジットカード、キャッシュカード、その他の各種カードを収納するためのカードケース、および、このカードケースを備えた財布に関する。
【背景技術】
【０００２】
近年、個人が所有するカードとしては、クレジットカード、キャッシュカード、プリペイカードなどの現金の引き出しや現金に代わる支払い手段としてのカードや、運転免許証、保険証などの資格証明手段としてのカードなど、種々のカードが普及しており、個人の所有枚数も年々増加している。
【０００３】
これらのカードは、厚さはそれぞれ異なるものの、概ね大きさが、長手方向(幅方向)に約８６ｍｍ、短手方向(高さ方向)が約５４ｍｍ程度の平板上の合成樹脂製のものが多く、四隅に丸みが設けられている。そして、これらのカードを使用するために携帯する必要があることから、種々のカードケースが提案されている。
【０００４】
図５は、従来のカードケースを示す図である。図５に示すカードケースは、見開き自在としたケース本体２００の内側の両側部にそれぞれ、クレジットカードやキャッシュカード等の定型のカードＣを収納するための、多数段としたカード収納部２０１を設けたものとしている。そして、カード収納部２０１は、それぞれの深さｄを、収納する定型のカードＣの上端が少し食み出す程度の深さにしている。
【０００５】
このため、カードを指で摘み出すことが難しく、引き出そうとするカードＣを滑らせることで、カードＣを引き出していた。このため、引き出そうとするカードＣが別のカードＣに擦れ合って、引き出そうとするカードＣの裏面を傷めるとともに、別のカードＣの上端を傷めてしまうという問題があった。
【０００６】
このため、例えば特許文献１には、図６で示すように、複数段のカード収納部３０１のそれぞれの深さｄを、収納するカードＣの上端が丁度隠れるか少し入り込む程度の深さｄとするとともに、カード収納部３０１を構成する仕切り部材の上端に使用者の指先をカードＣに当て得る程度の切り込み部３０２を設けたカードケース３００が提案されている。
【先行技術文献】
【特許文献】
【０００７】
【特許文献１】特開２００２−１７２０１０号公報
【発明の概要】
【発明が解決しようとする課題】
【０００８】
カードケースの材料としては、本皮革や合成皮革、あるいは軟質合成樹脂等のシート部材が用いられるが、図６に示すように、カード収納部を１枚のシート部材で作製したカードケースでは、長期間の使用により切り込み部３０２の角が損傷し、角から裂け目が入ることがあった。また、切り込み部３０２が小さい場合は、スムーズにカードＣを引き出すことが難しかった。
【０００９】
本発明は、これらの実情に鑑みてなされたものであり、カード収納部からスムーズにカードを引き出すことが可能で、長期使用に耐える構造のカードケース、および、このカードケースを備えた財布を提供することをその目的とする。
【課題を解決するための手段】
【００１０】
上記課題を解決するために、請求項１の発明は、基台部材に設けたポケット形成部材によってカード収納部を形成したカードケースであって、前記ポケット形成部材は、１対の直角台形状のポケット形成片からなり、１対の前記ポケット形成片は、長い方の底辺同士を重ねた状態で、前記底辺に対して直角となる第１の脚以外の第２の脚同士が交差するように配設され、前記長い方の底辺と前記第１の脚のそれぞれの近傍部分で、前記基台部材に対して固着されることによって前記カード収納部が形成されていることを特徴とするものである。
【００１１】
請求項２の発明は、請求項１の発明において、前記ポケット形成片の底辺間の長さが、前記カード収納部に収納されるカードの短手方向の長さよりも長いことを特徴とするものである。
【００１２】
請求項３の発明は、前記基台部材に対して、複数の前記ポケット形成部材がカード挿入方向にずらして重なるように配置されることによって複数の前記カード収納部が形成されていることを特徴とするものである。
【００１３】
請求項４の発明は、請求項３の発明において、前記カード収納部にカードが収納された際に、該カードが収納された前記カード収納部の後側の一対の前記ポケット形成片の第２の脚の交差部分が前記カードの上辺よりも低い位置にあることを特徴とするものである。
【００１４】
請求項の発明は、財布であって、請求項１〜４のいずれか１に記載のカードケースを備えたことを特徴とするものである。
【発明の効果】
【００１５】
本発明によれば、カード収納部材にカードを引き出すための切り込み部を設けることなく、スムーズにカードを引き出すことが可能となる。また、カード収納部材に切り込み部を設けていないため、カードケースの長期使用によっても損傷を防ぐことができる。
【図面の簡単な説明】
【００１６】
【図１】本発明の一実施形態に係るカードケースの一例を示す図である。
【図２】図１に示すカードケースのポケット形成部材を説明するための図である。
【図３】図１に示すカードケースの製造工程を説明するための図である。
【図４】本発明の他の実施形態に係るカードケースの一例を示す図である。
【図５】従来のカードケースの一例を示す図である。
【図６】従来のカードケースの他の例を示す図である。
【発明を実施するための形態】
【００１７】
以下、図面を参照しながら、本発明のカードケースおよび財布に係る好適な実施形態について説明する。以下の説明において、異なる図面においても同じ符号を付した構成は同様のものであるとして、その説明を省略する場合がある。
【００１８】
（第１の実施形態）
図１は、本発明の一実施形態に係るカードケースの一例を示す図であり、図１（Ａ）は、カードケースの正面図、図１（Ｂ）は図１のＸ−Ｘ断面図を示している。また、図２は、図１に示すカードケースのポケット形成片を説明するための図である。
【００１９】
図１に示すカードケース１００は、５つのカード収容部を有するカードケースの例を示している。カード収容部は、基台部材１と、第１のポケット形成部材１０、第２のポケット形成部材２０、第３のポケット形成部材３０、第４のポケット形成部材４０、および、第５のポケット形成部材５０の５つのポケット形成部材とから構成される。
【００２０】
第１〜第５のポケット形成部材１０、２０、３０、４０および５０は、基台部材１に対してカードＣの挿入方向に重なるようにずらして配置されている。そして、最上段のポケット収容部は、基台部材１と第５のポケット形成部材５０とがなす空間によって形成されるが、それ以外の４つのポケット収容部は、後側に位置するポケット形成部材と前側に位置するポケット形成部材とがなす空間によって形成される。なお、本実施形態では、カードケース１００は５つのポケット収容部を有しているが、ポケット収納部の数は１つ以上であればよい。
【００２１】
第１〜第５のポケット形成部材１０、２０、３０、４０および５０は、それぞれ１対の直角台形状のポケット形成片からなっている。例えば、第１のポケット形成部材１０は１対のポケット形成片１１，１２から、また、第２のポケット形成部材２０はポケット形成片２１，２２からなっており、第３〜第５のポケット形成部材３０、４０、５０についても同様である。基台部材１および各ポケット形成片は、本皮革、合成皮革、合成樹脂や天然繊維からなるシート等、種々のものが利用可能であり、携帯性と耐久性の点から皮革を用いるのが好ましいが、他の材料を用いてもよい。
【００２２】
例えば、皮革を用いる場合、図２（Ｂ）に示すように、皮革２を線Ｌに沿って裁断あるいは打ち抜くことによって、複数のポケット形成片を作製する。皮革２に表裏がある場合は、表側から見て線対称となるポケット形成片を２つ選択し、ポケット形成部材を構成する１対のポケット形成片１１、１２とする。必要に応じて、皮革の切断面の端面加工を行う。
【００２３】
以下、主に、第１のポケット形成部材１０について説明するが、第２〜第５のポケット成型部材についても同様である。例えば、第１のポケット形成部材１０の場合、図２（Ａ）に示すように、右側のポケット形成片１１は、頂点Ａ、Ｂ、Ｃ、Ｄを有する直角台形状をしており、２つの平行な底辺１１ａと１１ｂと、底辺１１ａと１１ｂに対して直角となる第１の脚１１ｃと、この第１の脚１１ｃ以外の第２の脚１１ｄを有している。また、左側のポケット形成片１２は、頂点Ｅ、Ｆ、Ｇ、Ｈを有する直角台形状をしており、２つの平行な底辺１２ａと１２ｂと、底辺１２ａと１２ｂに対して直角となる第１の脚１２ｃと、この第１の脚１２ｃ以外の第２の脚１２ｄを有している。
【００２４】
そして、第１のポケット形成部材１０を構成する１対のポケット形成片１１、１２は、図１に示すように、長い方の底辺１１ｂ、１２ｂ同士を重ねた状態で、第２の脚１１ｄ、１２ｄ同士が交差するように配設されて基台部材１に対して固着されている。本実施形態では、１対のポケット形成片１１、１２のそれぞれの長い方の底辺１１ｂ、１２ｂと第１の脚１１ｃ、１２ｃの近傍部分を、基台部材１に対して糸１３によって縫着している。なお、第１〜第５のポケット形成部材１０、２０、３０、４０および５０を基台部材１に固着する方法としては、縫着の他、接着によってもよい。
【００２５】
これにより、１対のポケット形成片１１、１２によって、カードＣのカード収納部を形成することができる。また、１対のポケット形成片１１、１２は、第２の脚１１ｄ、１２ｄ同士が交差する交点１０ｐより上側には１１、１２が存在しないため、カードＣを取り出す際の切欠き部となり、この切欠き部でカードＣに指を当接させることでカードＣをスムーズに取り出すことができる。また、１対のポケット形成片１１、１２によって形成された切欠き部は、従来のカードケースのように１枚の仕切り部材に切り込みを入れたものではないため、切り込み自体の損傷の恐れがない。さらに、ポケット形成片１１、１２を皮革などの可撓性を有する材料で作製した場合、１対のポケット形成片１１、１２は、それぞれ切欠き部分で図１（Ｂ）に示す矢印Ｙ方向に撓むため、カードＣを指で摘まみやすくなる。
【００２６】
このように、本発明のカードケースは、１対のポケット形成片１１、１２によって形成された切欠き部によって、カードＣが取り出しやすくなっているため、ポケット形成片１１、１２の底辺間の長さ（すなわち直角台形の高さに相当し、底辺１１ａと底辺１１ｂ間の長さ、および、底辺１２ａと底辺１２ｂ間の長さ）を、カードＣの短手方向の長さよりも長く構成し、カードＣをカード収納部に挿入した際に、カードＣの上端が隠れるようにしておいても、カードＣを容易に取り出すことができる。これにより、カードＣの取り出し時に、他のカードと触れることがなく、カードＣの損傷を防止することができる。また、カードＣの上端が隠れるようにカードＣを収納することができるため、カード収納部からのカードＣの欠落防止にもつながる。
【００２７】
以下に、カードケース１００の製造方法について説明する。図３は、図１に示すカードケースの製造工程を説明するための図である。まず、図３（Ａ）に示すように、長方形状の基台部材１の最上段側に、第５のポケット形成部材５０となる１対のポケット形成片５１、５２を、長い方の底辺５１ｂ、５２ｂ同士を重ねた状態で、第２の脚５１ｄ、５２ｄ同士が交差するように配設し、長い方の底辺５１ｂ、５２ｂの近傍部分のみを基台部材１に対して糸５３によって縫着する。先述したように、最上段のポケット収容部は、基台部材１と第５のポケット形成部材５０とがなす空間によって形成される。
【００２８】
次に、図３（Ｂ）で示すように、第５のポケット形成部材５０の下側に、第５のポケット形成部材５０と重なるように、第４のポケット形成部材４０となる１対のポケット形成片４１、４２をカードＣの挿入方向にずらして基台部材１に配設する。１対のポケット形成片４１、４２は、第５のポケット形成部材５０の１対のポケット形成片５１、５２と同様に、長い方の底辺４１ｂ、４２ｂ同士を重ねた状態で、第２の脚４１ｄ、４２ｄ同士が交差するように配設し、長い方の底辺４１ｂ、４２ｂの近傍部分のみを基台部材１に対して糸４３によって縫着する。
【００２９】
さらに、第３のポケット形成部材３０、第２のポケット形成部材２０、および、第１のポケット形成部材１０を、それぞれ同様の方法で基台部材１に対して縫着する。ここで、最後に基台部材１に対して縫着する第１のポケット形成部材１０の１対のポケット形成片１１、１２を基台部材１に対して縫着する際に、第１〜第５のポケット形成部材１０、２０、３０、４０および５０の全てのポケット形成片１１、１２、２１、２２、３１、３２、４１、４２、５１および５２のそれぞれの第１の脚（底辺に対して直角の脚）の近傍部分も合わせて基台部材１に対して糸１３によって縫着する。以上によって、５つのカード収納部を有するカードケース１００を作製することができる。
【００３０】
（第２の実施形態）
図４は、本発明の他の実施形態に係るカードケースの一例を示す図である。図４に示すカードケース１０１は、図１に示す第１の実施形態におけるカードケース１００に比べて、ポケット形成部材の数が異なるとともに、ポケット形成部材の間隔が短くなっている点以外は、第１の実施形態におけるカードケース１００と同じである。
【００３１】
より詳しくは、本実施形態のカードケース１０１は、基台部材１と、第１のポケット形成部材１１０、第２のポケット形成部材１２０、および、第３のポケット形成部材１３０を有しており、３つのカード収納部を有している。そして、第１〜第３のポケット形成部材１１０，１２０および１３０は、それぞれカードＣの挿入方向にずらせて重なるように配置されているが、その間隔を短くしている。
【００３２】
第２の実施形態は第１の実施形態と同様に、最下部のカード収納部にカードＣを収納した際は、第１のポケット形成部材１１０の１対のポケット形成片１１１、１１２の第２の脚１１１ｄ、１１２ｄ同士の交点１１０ｐの上側に、切欠き部が形成されるため、カードＣを取り出しやすくなる。さらに、本実施形態では、第２のポケット形成部材１２０の１対のポケット形成片１２１、１２２の第２の脚１２１ｄ、１２２ｄ同士の交点１２０ｐがカードＣの裏側に位置するため、カードＣの上辺中央の裏側部分に、第２のポケット形成部材１２０の１対のポケット形成片１２１、１２２の厚みに相当する間隙が形成されるため、カードＣを第１の実施形態よりもより摘まみ易くすることができる。
【００３３】
以上、本発明の実施形態に関するカードケースについて説明したが、本発明はカード収納専用のカードケースとして利用できるほか、財布に一体に設けることも可能である。例えば、財布の一構成部材を基台部材とし、少なくとも１つのカード形成部材として１対のカード形成片を固着すれば、カードケース付きの財布を作成することができる。さらに、ハンドバッグの内側や、システム手帳のカバーの内側にカードケースを設けてもよい。このため、基台部材としては長方形状のものに限らず、種々のものが利用できる。
【符号の説明】
【００３４】
１…基台部材、２…皮革、１０，１１０…第１のポケット形成部材、１０ｐ，１１０ｐ，１２０ｐ：交点、１１，１２，２１，２２，３１，３２，４１，４２，５１，５２，１１１，１１２…ポケット形成片、１１ａ，１１ｂ，１２ａ，１２ｂ，４１ｂ，４２ｂ，５１ｂ，５２ｂ…底辺、１１ｃ，１２ｃ…第１の脚、１１ｄ，１２ｄ，４１ｄ，４２ｄ，５１ｄ，５２ｄ，１１１ｄ，１１２ｄ，１２１ｄ，１２２ｄ…第２の脚、１３，４３，５３…糸、２０，１２０…第２のポケット形成部材、３０，１３０…第３のポケット形成部材、４０…第４のポケット形成部材、５０…第５のポケット形成部材、１００，１０１，３００…カードケース、２００…ケース本体、２０１，３０１…カード収納部、３０２…切り込み部。
【図１】
2017006349.tif 000003
【図２】
2017006349.tif 000004
【図３】
2017006349.tif 000005
【図４】
2017006349.tif 000006
【図５】
2017006349.tif 000007
【図６】
2017006349.tif 000008